(57)【特許請求の範囲】
【請求項１】
錠箱内の錠止部材を制御するダルマを、テールピースを介してシリンダ錠に連結される外側ダルマと、扉内面に装着されたサムターンに連結される内側ダルマとに分割し、内側ダルマに錠止部材制御部を、外側ダルマにスイッチ駆動部をそれぞれ形成すると共に、これら外側及び内側ダルマを、回転方向において相互に係合可能にして重合し、一方、外側ダルマの一端部にキャッチャーを設け、その一端を内側ダルマと係合する方向に付勢すると共に、外側ダルマの回動の終期に他端が錠箱内の固定部と係合して一端を内側ダルマから離間する方向に駆動するようにし、外側ダルマのスイッチ駆動部により切換え駆動されるスイッチの出力信号を外出信号及び在室信号として取り出すようにしたことを特徴とする外出確認信号錠。
【発明の詳細な説明】
【０００１】
【発明の属する技術分野】
本発明は、外出確認信号錠に係わり、特に、簡単な構成で外出及び在室の確認をすることができる外出確認信号錠に関する。
【０００２】
【従来の技術】
ビルの部屋やホテルの客室などにおける人の在室、あるいは外出を遠方から監視できれば、建物の管理上好都合である。
【０００３】
そこで、本出願人は、先に、特願平３−２７６８６４を以て、新規な外出確認信号錠を提案した。
【０００４】
この外出確認信号錠は、シリンダ錠に、施、解錠時内筒に駆動されて錠前操作信号を発生させる第一信号発生器を組込むと共に、扉の内面に装着されたサムターンに、サムターンによる施錠時サムターン施錠信号を、サムターンによる解錠時サムターン解錠信号をそれぞれ発生させる第二信号発生器を組込み、これら第一及び第二信号発生器から取り出された電気信号を電気的な判別回路に供給して、この判別回路から外出信号及び在室信号を出力させると共に、これを保持するものである。
【０００５】
【発明が解決しようとする課題】
上記した外出確認信号錠は、実用されて所期の機能を発揮しているが、シリンダ錠及びサムターンにそれぞれ電気スイッチである信号発生器を組込む必要があるため、機械的に少しく複雑になる。
【０００６】
また、信号発生器から取り出された電気信号を通常はマイクロコンピュータにより構成された判別回路を用いて処理するので、外出確認信号錠のコストが増大するばかりでなく、例えば停電等により電源が一時的に遮断されると、外出及び在室信号が消失する可能性がある、等未だ改良の余地がある。
【０００７】
そこで、この発明は、錠箱の中の機械的な機構の状態変化により外出及び在室を判別し、この機構の状態変化を単一の電気スイッチにより電気信号に変換できるようにした新規な外出確認信号錠を提供することを目的としている。
【０００８】
【課題を解決するための手段】
上記の目的を達成するため、この発明は、錠箱内の錠止部材を制御するダルマを、テールピースを介してシリンダ錠に連結される外側ダルマと、扉内面に装着されたサムターンに連結される内側ダルマとに分割し、内側ダルマに錠止部材制御部を、外側ダルマにスイッチ駆動部をそれぞれ形成すると共に、これら外側及び内側ダルマを、回転方向において相互に係合可能にして重合し、一方、外側ダルマの一端部にキャッチャーを設け、その一端を内側ダルマと係合する方向に付勢すると共に、外側ダルマの回動の終期に他端が錠箱内の固定部と係合して一端を内側ダルマから離間する方向に駆動するようにし、外側ダルマのスイッチ駆動部により切換え駆動されるスイッチの出力信号を外出信号及び在室信号として取り出すようにしたことを特徴とする。
【０００９】
【発明の実施の形態】
以下、図面に示す実施例に基づいてこの発明について説明する。
なお、図１乃至図３はこの発明の第一の実施例を、図４乃至図７は第二の実施例を夫々示す。
【００１０】
また、図示の実施例は所謂電気錠にこの発明を適用したものであるが、電気錠ではない通常の錠前にもこの発明を適用することができる。これは後に述べる。
【００１１】
第一の実施例を示す図１において符号１は錠箱を示し、この錠箱の下方には、ラッチボルトを兼ねるデッドボルト２がフロント板３に垂直な前後方向に移動可能に案内されており、コイルばね４の弾力により錠箱１外に突出する方向の前方に付勢されている。
【００１２】
上記デッドボルト２の上方には、第１支軸５により回動自在に軸支され、図示しない捩りばねにより時計方向に付勢されたロッキングレバー６が配設されている。
【００１３】
このロッキングレバー６は、図１に示すように、施錠時には後述の制御レバー７に駆動されてその付勢力に抗して反時計方向に回動させられており、この時にはロッキングレバー６の先端はデッドボルト２の先端段部に係合可能に臨んでいる。
【００１４】
したがって、扉外面に装着されたノブ又はハンドルのような外部操作部材によりリトラクター８を介してデッドボルト２を錠箱内に引込めようとしても、そのデッドボルト２の先端段部がロッキングレバー６の衝止されてそれ以上錠箱内に引込むことはできない。
【００１５】
ちなみに、通常リトラクター７は内外２枚に分割されており、それぞれ内部操作部材及び外部操作部材によって独立に作動できるようになっている。
【００１６】
そして、内側リトラクターの自由端（図１で上端）には解錠ピン９が植設されており、この解錠ピン９はロッキングレバー６の中央部に形成されたＶ字形の切欠に係入している。
【００１７】
その為、内側からリトラクター８を回動させると解錠ピン９がロッキングレバー６を時計方向に駆動し（図示せず）、その為ロッキングレバー６の先端がデッドボルト２の前端段部の軌跡外に退避してデッドボルト２を錠箱１内に引込めることができる。すなわち、室内側からのハンドル操作によりこの電気錠は何時でも解錠できる。
【００１８】
一方、ロッキングレバー６の後方には全体の形状が略Ｖ字形の制御レバー７が第２支軸１２により回動自在に軸支されている。
【００１９】
この制御レバー７の下方の自由端はロッキングレバー６の後方に植設された第１連結ピン１１に下方から係合している。
【００２０】
また、制御レバー７の上方の自由端に植設された第２連結ピン１３は、後述の内側ダルマ１４に一体に形成されたレバー状の錠止部材制御部１５の先端のＵ字形の切欠に係合している。
【００２１】
更にまた、ロッキングレバー６の上方に配設された例えばラッチングソレノイド１６のプランジャに装着された制御バー１７と制御レバー７とは、例えば前者の裏面に植設された第３連結ピン１８を後者に開口した長穴に摺動可能に係合させることにより、相互に連結されている。
【００２２】
上記した構成により、ラッチングソレノイド１６に解錠信号を供給してこれに通電すれば、図２に示すように、ヨーク内に引込むプランジャに駆動されて制御バー１７は前方に移動し、その結果制御レバー７が反時計方向に回動する。
【００２３】
すると、制御レバー７の下方の自由端に従動してロッキングレバー６がその付勢力により時計方向に回動し、ロッキングレバー６の前端がデッドボルト２の頭部の移動軌跡外に退避してこの電気錠は解錠される。
【００２４】
なお、図示の電気錠の構成は周知であり、しかもこの発明の要旨ではないから、更に詳細な説明は省略する。
【００２５】
また、この発明による外出確認信号錠を装備した電気錠は、主に内側からはサムターンにより、外側からは合鍵を操作しての機械的なシリンダ錠により、夫々施解錠操作するものとし、電気錠は例えば緊急時における各戸の一斉解錠等の特殊な用途に用いるものとする。
【００２６】
図１に戻って、制御バー７の上方で、錠箱のやや後方寄りには、内側及び外側ダルマ１４、１９が同軸に、かつ相互に独立に回動可能に支承されている。
【００２７】
通常の錠前ではこのダルマは単一の錠止部材制御体であり、例えば中央に開口したクラッチ孔を介してシリンダ錠及びサムターンに夫々連結されているが、この発明においては、内側ダルマ１４は図示しないサムターンに、外側ダルマ１９は図示しないシリンダ錠の内筒に夫々別個に連結されている。
【００２８】
内側ダルマ１４の外周部の所定の角度位置に一体に形成され、半径方向に延伸するレバー状の錠止部材制御部１５は、第２連結ピン１３を介して、前記制御レバー７に連結されていることは前記したとおりである。
【００２９】
一方、外側ダルマ１９の外周部の所定の角度位置に突設された突片は錠箱の厚さ方向に折り曲げられてスイッチ駆動部２１が形成されている。
【００３０】
このスイッチ駆動部２１に対応して、外側ダルマ１９の下方にはマイクロスイッチとしてのスイッチ２２が配設されている。
【００３１】
他方、上記内側及び外側ダルマ１４、１９は基本的には独立に回動できるように構成されているが、回転方向において相互に係合できるように、クラッチ２３により相互に連結されている。
【００３２】
図示の実施例におけるクラッチ２３は、内側ダルマから延伸したレバーに植設された第４連結ピン２４と、外側ダルマの外周部に開口した円弧状のガイド孔２５とからなり、両者は相互に摺動可能に係合している。
【００３３】
更に、外側ダルマ１９の外周部上端には、磁性材質の鈎付レバー状のキャッチャー２６が水平軸により回動自在に支承されている。
【００３４】
このキャッチャー２６は、捩りばねとしてのキャッチャーばね２７の弾力により、反時計方向に付勢されているが、図１に示すように外側ダルマ１９が解錠角度位置にあるとき、すなわちキャッチャー２６が最上端位置にあるときには、その上端折り曲げ部が錠箱１の天井に装着された永久磁石２８に吸着されて図示の角度位置を占める。
【００３５】
また、キャッチャー２６の自由端部となる鈎部の紙面方向におけるエレベーション位置は、外側ダルマ１９と、これより浮くように配設され上記第４連結ピン２４を植設したレバーとの間に入り込めるように設定されている。
【００３６】
上記のように構成されたこの発明の第一実施例による外出確認信号錠は、シリンダ錠が解錠されているときには、図１に示すように、外側ダルマ１９は時計方向に一杯に振れている。
【００３７】
また、サムターンが施錠方向に駆動されているときには、図１に示すように、内側ダルマ１４が反時計方向に一杯に振れている。
【００３８】
その結果、制御レバー７は時計方向に回動し、ロッキングレバー６をその付勢力に抗して反時計方向に駆動するので、この錠前は施錠状態となる。
【００３９】
このように錠前が室内側からサムターンにより施錠されているときには、外側ダルマ１９は解錠角度位置にあり、そのスイッチ駆動部２１はスイッチのアクチュエータに接触していない。この状態におけるスイッチ２１の出力信号を在室信号として建物管理システムに供給する。
【００４０】
外出の為サムターンを操作して内側ダルマ１４を解錠方向（図１で時計方向）に回動させると、図２に示すように、制御レバー７が反時計方向に回動されて錠前が解錠される。
【００４１】
上記内側ダルマ１４の回動時、これと一体の第４連結ピン２４は外側ダルマの前記ガイド孔２５中を遊動するので、外側ダルマ１９とは独立に回動できる。
【００４２】
室内側のハンドルやノブを操作して扉を開け室外に出た後、合鍵を使用してシリンダ錠を施錠すると、その施錠操作におけるシリンダ錠内筒の回動に従動して外側ダルマ１９は施錠方向、すなわち図１及び図２において反時計方向に回動する。
【００４３】
このときには、図２から明らかなように、外側ダルマ１９はクラッチ２３を介して内側ダルマ１４に係合し、換言すれば両者は一体に回動できるようになる。
【００４４】
合鍵の操作により外側ダルマ１９を反時計方向に回動させると、外側ダルマ１９と一体に回動する内側ダルマ１４の錠止部材操作部１５の回動により、図３に示すように、制御レバー７が時計方向に駆動されて錠前は施錠される。
【００４５】
同時に、外側ダルマのスイッチ駆動部２１がスイッチ２２を切換えるので、このスイッチから外出信号が取り出される。
【００４６】
また、このときキャッチャー２６が永久磁石２８から離間するので、自由になったキャッチャー２６はキャッチャーばね２７の弾力により図３で反時計方向に回動し、第４連結ピン２４にこれを包持するように係合する。
【００４７】
外出から帰って合鍵によりシリンダ錠を解錠操作すると、その合鍵の回動により外側ダルマ１９は図３で時計方向に回動するが、このときにはキャッチャー２６を介して内側ダルマ１４も一体に回動するので、図２に示すように錠前は解錠される。
【００４８】
同時にスイッチ駆動部２１がスイッチ２２から離間するので、このスイッチからの出力信号は在室信号に切り替わる。
【００４９】
また、解錠操作が完了すると、キャッチャー２６は再び永久磁石２８に近接するので、その永久磁石２８とキャッチャー２６との磁気的係合により、キャッチャー２６は第４連結ピンから離間する方向に回動し（図２参照）、内側及び外側ダルマ１４、１９の係合が解ける。
【００５０】
以降、室内に入った後サムターンを操作して施錠しても、またその儘解錠の状態にしておいても、外側ダルマ１９が回動しないのでスイッチ２２の出力は在室信号の儘に保たれる。
【００５１】
次に、図４乃至図７を参照してこの発明の第二実施例について説明する。この第二実施例は、この発明をモータ駆動の引戸の電気錠に適用したものである。
【００５２】
図４において符号２９はカマを示し、このカマ２９は錠箱１のフロント板３の近傍に配設された水平なカマ軸３１により錠箱１の側板に平行な平面内で回動で着るように軸支されている。
【００５３】
図４は引戸の施錠状態を示し、この施錠状態ではカマ２９はフロント板３から外方に振出され、図示しない引戸枠のストライク板の開口に投入される。かかる引戸の錠止機構については従来周知であるから更に詳細な説明を省略する。
【００５４】
上記カマ軸３１の後方にはセクターギア３２が錠箱の側板に平行な平面内で回動できるように軸支されており、このセクターギア３２に一体に結合された作動アーム３３の先端には駆動ピン３４が植設されている。
【００５５】
この駆動ピン３４はカマ２９の基端部に開口した長孔３５に摺動可能に係合している。
【００５６】
その為、セクターギア３２が図４に示す角度位置から時計方向に回動すると、図５に示すように、カマ２９がカマ軸３１の回りを反時計方向に回動し、カマ２９を錠箱１内に引込めてこの引戸錠を解錠する。
【００５７】
図４に戻って、上記セクターギア３２を駆動する為、マイクロモータ等の電動機３５を駆動源とし、減速機３６、減速機３６の最終段歯車３７、電磁クラッチ３８を介してこの最終段歯車３７に同軸に連結された第１傘歯車３９、この第１傘歯車と噛み合うこれより大径の第２傘歯車４２、及びこの第２傘歯車４２と同軸かつ一体に結合されると共に、セクターギアと噛み合う第１平歯車４１よりなる歯車列がセクターギア３２に接続されている。
【００５８】
上記した構成の引戸の電気錠は、電気的な解錠信号或いは施錠信号に応じて電動機３５を正逆両方向に回転させ、解錠信号発生時セクターギア３２を時計方向に回動させ、施錠信号発生時反対に反時計方向に回動させることにより、カマ２９を錠箱内に引込め、或いはフロント板３から振出して施解錠をする。
【００５９】
このとき、すなわちこの引戸の電気錠を電気錠として使用するとき、電磁クラッチ３８を作動させて最終段歯車３７と第１傘歯車３９とを一体に連結する。
【００６０】
この発明の第二実施例による外出確認信号錠を装備した電気錠は、前記第一実施例による電気錠と同様に、主に内側からはサムターンにより、外側からは合鍵を使用しての機械的なシリンダ錠により夫々施解錠操作するものとし、電気錠は例えば緊急時における各戸の一斉解錠等の特殊な用途に用いるものとする。
【００６１】
前記セクターギア３２をサムターン或いはシリンダ錠によって制御するため、錠箱１内の上端部中央には、内側及び外側ダルマ１４、１９が同軸に、かつ相互に独立に回動可能に支承されている。
【００６２】
上記内側ダルマ１４は図示しないサムターンに、外側ダルマ１９は図示しないシリンダ錠の内筒に夫々別個に連結されていることは前記した第一実施例における電気錠と同様である。
【００６３】
また、上記内側ダルマ１４の外周部には一定の角度範囲にわたって歯車が切ってあり、この内側ダルマ１４の歯車部は、外周部を一定の角度範囲にわたって扇形に切り欠いた第２平歯車４３を介して、前記セクターギア３２に第１平歯車４１と共に噛み合っている。
【００６４】
上記第２平歯車４３の外周部の切欠は、ストッパーピン４０（図４参照）との係合により第２平歯車４２の回動角度範囲を規制するものであるが、この発明の必須の構成要件ではない。
【００６５】
なお、上記内側ダルマ１４の歯車部は、前記第一実施例における錠止部材制御部１５（図１参照）に相当する。
【００６６】
一方、外側ダルマ１９の外周部は一定の角度範囲にわたって大径に成形され、この大径部がスイッチ駆動部２１を構成している。
【００６７】
このスイッチ駆動部２１と外側ダルマ１９の小径部とは傾斜カム４４によって接続されている。
【００６８】
上記スイッチ駆動部２１に対応して、外側ダルマ１９の近傍にはマイクロスイッチとしてのスイッチ２２が配設されている。
【００６９】
他方、上記内側及び外側ダルマ１４、１９は基本的には相互に独立に回動できるように構成されているが、回転方向において相互に係合できるようになっている。
【００７０】
その為、内側ダルマ１４の所定の角度位置に形成されたアーム４５の端部に係合ピン４６が植設されており、これに対応して、外側ダルマ１９の一端の係合ピン４６と同じ半径方向位置に、Ｕ字形の切欠４７がその開口を係合ピン４６に向けて形成されている。
【００７１】
なお、上記係合ピン４６は前記第一実施例の第４連結ピン２４（図１参照）に、切欠４７はガイド孔２５の上方の端部に夫々対応する。
【００７２】
また、外側ダルマ１９の一端部には、磁性材質の鈎付レバー状のキャッチャー２６が水平軸により回動自在に支承されている。
【００７３】
このキャッチャー２６は、図７に示すように、係合ピン４６と係合可能なＵ字形のキャッチ溝４８を有し、図１に示すように、捩りばねとしてのキャッチャーばね２７の弾力により反時計方向に付勢されている。
【００７４】
また、キャッチャー２６は、図４に示すように外側ダルマ１９が解錠角度位置にあるとき、すなわちキャッチャー２６が最上端位置にあるときには、その上端折曲げ部４８ａ（図７参照）が錠箱１の天井に装着された永久磁石２８に吸着されて図４に示す角度位置、すなわちキャッチ溝４８が外側ダルマ１９の切欠４７から離間する角度位置を占める。
【００７５】
更にまた、キャッチャー２６の自由端部となる鈎部の紙面方向におけるエレベーション位置は、外側ダルマ１９と、係合ピン４６を植設したアーム４５との間に入り込めるように設定されている。
【００７６】
なお、図５において符号４９は錠箱１の側板内面に切り起こされたストッパーを、符号５１はこのストッパー４９、４９との干渉を避ける為外側ダルマ１９に形成された円弧状の開口を夫々示す。
【００７７】
上記のように構成されたこの発明の第二実施例による外出確認信号錠は、シリンダ錠が解錠されているときには、図４に示すように、外側ダルマ１９は時計方向に一杯に振れている。
【００７８】
また、サムターンが施錠方向に駆動されているときには、図４に示すように、内側ダルマ１４が反時計方向に一杯に振れている。
【００７９】
その結果、セクターギア３２は反時計方向に回動し、カマ２９を時計方向に駆動するので、カマ２９はフロント板３から振出されてこの錠前は施錠状態となる。
【００８０】
このように錠前が室内側からサムターンにより施錠されているときには、外側ダルマ１９は解錠角度位置にあり、そのスイッチ駆動部２１はスイッチ２２のアクチュエータ押動駆動している。この状態におけるスイッチ２１の出力信号を在室信号として建物管理システムに供給する。
【００８１】
外出の為サムターンを操作して内側ダルマ１４を解錠方向（図４で時計方向）に回動させると、図５に示すように、第２平歯車４３が反時計方向に、これと噛み合うセクターギア３２が時計方向に回動してカマ２９が錠箱１内に引込められ、解錠される。
【００８２】
なお、サムターン或いは合鍵による施解錠操作時、電磁クラッチ３８は例えば通電を遮断する等して不作動状態に置かれているので、内側ダルマ１４の回動は減速機３６や電動機３５には伝達されず、したがってこれらによるブレーキ力が作用しないので施解錠操作は余計な操作力を伴うことなく円滑に行われる。
【００８３】
上記内側ダルマ１４の回動の終端において、これと一体の係合ピン４６は外側ダルマの一端に形成された切欠４７（図４参照）と係合する。
【００８４】
室内側のハンドルやノブを操作して扉を開け室外に出た後、合鍵を使用してシリンダ錠を施錠すると、その施錠操作におけるシリンダ錠内筒の回動に従動して外側ダルマ１９は施錠方向、すなわち図４及び図５において反時計方向に回動する。
【００８５】
このときには、図５から明らかなように、外側ダルマ１９の切欠４７が内側ダルマ１４の係合ピン４６に係合してこれを押動するので、両者は一体に回動できるようになる。
【００８６】
合鍵の操作により外側ダルマ１９を反時計方向に回動させると、外側ダルマ１９と一体に回動する内側ダルマ１４の錠止部材操作部１５（図４参照）の回動により、図６に示すように、制御レバー７が時計方向に駆動されて錠前は再び施錠される。
【００８７】
同時に、外側ダルマのスイッチ駆動部２１がスイッチ２２から離間してこれを切換えるので、このスイッチから外出信号が取り出される。
【００８８】
また、このときキャッチャー２６が永久磁石２８から離間するので、自由になったキャッチャー２６はキャッチャーばね２７の弾力により図６で反時計方向に回動し、係合ピン４６にこれを包持するように係合する。
【００８９】
外出から帰って合鍵によりシリンダ錠を解錠操作すると、その合鍵の回動により外側ダルマ１９は図６で時計方向に回動するが、このときにはキャッチャー２６を介して内側ダルマ１４も一体に回動するので、図５に示すように錠前は解錠される。
【００９０】
同時にスイッチ駆動部２１がスイッチ２２を押動するので、このスイッチ２２からの出力信号は在室信号に切り替わる。
【００９１】
また、解錠操作が完了すると、キャッチャー２６は再び永久磁石２８に近接するので、その永久磁石２８とキャッチャー２６との磁気的係合により、キャッチャー２６は係合ピン４６から離間する方向に回動し（図５参照）、内側及び外側ダルマ１４、１９の係合が解ける。
【００９２】
以降、室内に入った後サムターンを操作して施錠しても、またその儘解錠の状態にしておいても、外側ダルマ１９が回動しないのでスイッチ２２の出力は在室信号の儘に保たれる。
【００９３】
なお、図示の第一及び第二実施例はこの発明を電気錠に適用した場合を示すが、この発明は通常の機械的な錠前にも適用できる。
【００９４】
例えば、図１に示す錠止部材制御部１５は、反時計方向に回動したときに施錠し、時計方向に回動したときには解錠することは前記したとおりである。
【００９５】
一方、通常の錠前において、デッドボルトを施解錠操作する所謂デッドカムはダルマに一体に形成された錠止部材制御部用の部材である。
【００９６】
但し、そのデッドカムはデッドボルトに形成された切欠と係合して、時計方向に回動したときデッドボルトを扉枠のストライクに投入して施錠する。
【００９７】
そこで、この発明の要部である内側及び外側ダルマ１４及び１９、キャッチャー２６及びスイッチ２２などをダルマの中心軸に関し左右対称的に形成或いは配設すれば（図示せず）、一連の施解錠操作は矛盾無く成立する。
【００９８】
また、図示の実施例では、キャッチャー２６の第４連結ピン２４に対する係脱制御を永久磁石２８とキャッチャー２６との磁気的係合により行っているが、これはキャッチャー２６の回動軸に関して鈎部とは反対側に制御突部を形成し、これと錠箱内の固定部との係合によりキャッチャー２６を回動させるようにすることができる（図示せず）。
【００９９】
【発明の効果】
以上の説明から明らかなように、この発明は、ダルマを内外２枚の部材に分割して機械的な外出及び在室判別機構を構成し、その機構の変化を単一のスイッチにより検知するようにしたから、外出確認信号錠の全体の構造が簡単になる。
【０１００】
また、同じ理由により、外出及び在室確認信号の形成及び保持に電源を必要としないから、保守点検にも手間が掛からず、使い勝手が良い、等種々の効果を奏する。
【図面の簡単な説明】
【図１】この発明の第一実施例による外出確認信号錠の側面図で、サムターンにより施錠され、シリンダ錠は解錠されている状態を示す。
【図２】図１と同様の側面図で、サムターンにより解錠され、シリンダ錠も解錠されている状態を示す。
【図３】図１と同様の施錠状態を示す側面図で、シリンダ錠も施錠されている状態を示す。
【図４】この発明の第二実施例による外出確認信号錠の側面図で、サムターンにより施錠され、シリンダ錠は解錠されている状態を示す。
【図５】図４と同様の側面図で、サムターンにより解錠され、シリンダ錠も解錠されている状態を示す。
【図６】図４と同様の施錠状態を示す側面図で、シリンダ錠も施錠されている状態を示す。
【図７】キャッチャーの拡大平面図。
【符号の説明】
１４  内側ダルマ
１５  錠止部材制御部
１９  外側ダルマ
２１  スイッチ駆動部
２２  スイッチ
２４  第４連結ピン
２６  キャッチャー
２８  永久磁石
２９  カマ
４６  係合ピン
４７  切欠
４８  キャッチ溝
【図１】
0003896192.tif 000002
【図２】
0003896192.tif 000003
【図３】
0003896192.tif 000004
【図４】
0003896192.tif 000005
【図５】
0003896192.tif 000006
【図６】
0003896192.tif 000007
【図７】
0003896192.tif 000008